(57)【要約】【課題】押出ダイ内でのポリマー分配を調整するための改良されたシステムを提供すること。【解決手段】押出ダイは、複数のスタッドと、調整アセンブリと、リストリクタ部材と、を備えている。調整アセンブリは、楔部材と、第１及び第２の調整部材と、前記第１及び第２の調整部材に結合された単一の回転可能な点調整部材を有する調整制御部と、を有している。楔部材は、複数のスタッドの第１端に結合されており、第１及び第２の複数のチャネルを内部に含んでいる。第１及び第２の調整部材は、複数の突出部を有しており、その各々は、第１及び第２の複数のチャネルのそれぞれの１つ内に位置決めされている。リストリクタ部材は、長手方向に延びており、複数のスタッドの第２端に結合されている。単一の点調整部材の回転は、複数の突出部の各々をしてそれぞれのチャネル内で移動させて、楔部材、複数のスタッド及びリストリクタ部材を長手方向に略垂直な方向に強制移動させる。【選択図】図６
2018192796.tif 000002
【特許請求の範囲】
【請求項１】
複数のスタッドと、
長手方向に延びる調整アセンブリと、
前記長手方向に延びるリストリクタ部材と、
を備え、
前記複数のスタッドの各々は、第１端部と第２端部とを有しており、
前記リストリクタ部材は、前記複数のスタッドの前記第２端部の各々に結合されており、
前記調整アセンブリは、
前記第１端部の各々の近接位置において前記複数のスタッドに結合された楔部材と、
第１の複数の突出部を有する第１の調整部材と、
第２の複数の突出部を有する第２の調整部材と、
前記第１及び第２の調整部材に結合された単一の回転可能な点調整部材を有する調整制御部と、
を有しており、
前記楔部材は、第１の複数のチャネルと第２の複数のチャネルとが内部に形成されており、
前記第１及び第２の複数のチャネルの各々は、前記長手方向から角度的にオフセットされた方向に延びており、
前記第１の複数の突出部の各々は、前記第１の複数のチャネルのそれぞれの１つ内に位置決めされており、
前記第２の複数の突出部の各々は、前記第２の複数のチャネルのそれぞれの１つ内に位置決めされており、
前記回転可能な点調整部材は、前記長手方向に略平行な軸回りに回転可能であり、それは、前記第１及び第２の複数の突出部の各々をして前記第１及び第２の複数のチャネルのそれぞれの１つ内で移動させて、前記楔部材、前記複数のスタッド及び前記リストリクタ部材を前記長手方向に略垂直な方向に強制移動させる
ことを特徴とする押出ダイ。
【請求項２】
前記複数のスタッドの各々は、前記楔部材を貫いて延びており、
前記複数のスタッドの各々は、前記長手方向に前記楔部材に沿って、互いから略等間隔に離れている
ことを特徴とする請求項１に記載の押出ダイ。
【請求項３】
前記第１の複数のチャネルは、前記第２の複数のチャネルが延びる方向と略平行な方向に延びている
ことを特徴とする請求項１に記載の押出ダイ。
【請求項４】
前記単一の回転可能な点調整部材の回転は、前記第１及び第２の調整部材を長手方向軸に沿って移動させ、当該長手方向軸は、前記長手方向に略平行である
ことを特徴とする請求項３に記載の押出ダイ。
【請求項５】
前記リストリクタ部材は、複数の開口を含んでおり、
前記複数の開口の各々は、前記複数のスタッドのそれぞれの１つの第２端部を受容するように構成されている
ことを特徴とする請求項１に記載の押出ダイ。
【請求項６】
当該押出ダイの第１端部から当該押出ダイの第２端部まで前記長手方向に延びる上方本体部材を更に備え、
当該上方本体部材は、
前記長手方向に延びる調整チャネルと、
前記長手方向に延びるリストリクタチャネルと、
前記長手方向に略垂直である方向に延びる複数のスタッドチャネルと、
を有しており、
前記調整チャネルは、前記調整アセンブリを内部に受容するように構成されており、
前記リストリクタチャネルは、前記リストリクタ部材を内部に受容するように構成されており、
前記複数のスタッドチャネルの各々は、前記複数のスタッドのそれぞれの１つを受容するように構成されている
ことを特徴とする請求項１に記載の押出ダイ。
【請求項７】
当該押出ダイの前記第１端部から当該押出ダイの前記第２端部まで前記長手方向に延びる下方本体部材を更に備え、
前記下方本体部材は、鉛直方向に前記上方本体部材に隣接して位置決めされており、
前記鉛直方向は、前記長手方向に略垂直であり、
前記下方本体部材は、下方プリランド表面を有しており、
前記下方プリランド表面は、前記リストリクタ部材の上方プリランド表面と向き合って両者の間にプリランドチャネルを形成しており、
前記下方プリランド表面と前記上方プリランド表面との間の前記プリランドチャネルの高さは、前記単一の回転可能な点調整部材の回転に基づいて調整される
ことを特徴とする請求項６に記載の押出ダイ。
【請求項８】
前記上方本体部材と前記下方本体部材とは、両者の間に分配チャネルを形成しており、
当該押出ダイは、更に、前記分配チャネル内に摺動可能に位置決めされた内部マニホルドプラグを備えている
ことを特徴とする請求項７に記載の押出ダイ。
【請求項９】
前記上方本体部材と前記下方本体部材とは、前記プリランドチャネルと前記分配チャネルとに流体連通するダイ開口を形成しており、
当該押出ダイは、更に、前記ダイ開口に摺動可能に位置決めされた外部デックルを備えている
ことを特徴とする請求項８に記載の押出ダイ。
【請求項１０】
前記上方プリランド表面は、前記下方プリランド表面に略平行である
ことを特徴とする請求項７に記載の押出ダイ。
【請求項１１】
前記上方プリランド表面は、第１縁と第２縁とを有しており、
前記第１縁と前記第２縁とは、前記リストリクタ部材の第１端部から第２端部まで延びており、
前記第１縁は、軸方向に前記第２縁から間隔を空けており、
前記軸方向は、前記長手方向及び前記鉛直方向の両方に対して略垂直であり、
前記第２縁は、前記リストリクタ部材の前記第１端部と前記第２端部との間に位置する曲げ部を有しており、
前記軸方向の前記第１縁から前記曲げ部までの距離は、前記軸方向の前記リストリクタ部材の第１端部の前記第１縁から前記第２縁までの距離よりも大きく、
前記上方プリランド表面、前記第１縁及び前記第２縁は、プリランドドロップを有しており、
前記プリランドドロップは、前記リストリクタ部材の第１表面上に形成されており、
前記第１表面と前記上方プリランド表面とは、略平行である
ことを特徴とする請求項７に記載の押出ダイ。
【請求項１２】
前記リストリクタ部材は、
前記リストリクタ部材の第１端部から前記リストリクタ部材の第２端部まで前記長手方向に延びる第１表面と、
前記リストリクタ部材の前記第１端部から前記リストリクタ部材の前記第２端部まで前記長手方向に延びる第２表面と、
前記第１表面上に形成されたプリランドドロップと、
を有しており、
前記第２表面は、複数の開口を有しており、
前記複数の開口の各々は、複数のスタッドのそれぞれの１つを受容するように構成されており、
前記プリランドドロップは、第１縁と第２縁とを含むプリランド表面を有しており、
前記第１縁と前記第２縁とは、前記リストリクタ部材の前記第１端部から前記第２端部まで延びており、
前記第２縁は、軸方向に前記第１縁から間隔を空けており、
前記軸方向は、前記長手方向に略垂直であり、
前記第２縁は、前記リストリクタ部材の前記第１端部と前記第２端部との間に位置する曲げ部を有しており、
前記軸方向の前記第１縁から前記曲げ部までの距離は、前記軸方向の前記リストリクタ部材の第１端部の前記第１縁から前記第２縁までの距離よりも大きい
ことを特徴とする請求項１に記載の押出ダイ。
【請求項１３】
前記軸方向の前記第１縁から前記曲げ部までの距離は、前記軸方向の前記リストリクタ部材の第２端部の前記第１縁から前記第２縁までの距離よりも大きい
ことを特徴とする請求項１２に記載の押出ダイ。
【請求項１４】
前記曲げ部は、前記長手方向の前記第２縁の中心に位置している
ことを特徴とする請求項１２に記載の押出ダイ。
【請求項１５】
前記第２縁は、第１部と第２部とを有しており、
前記第１部は、前記リストリクタ部材の前記第１端部から前記曲げ部まで延びており、
前記第２部は、前記リストリクタ部材の前記曲げ部から前記第２端部まで延びており、
前記第１部と前記第２部とは、前記長手方向から角度的にオフセットされている
ことを特徴とする請求項１２に記載の押出ダイ。
【請求項１６】
前記第２縁の前記第１部は、前記軸方向に見る時、前記第２縁の前記第２部の鏡像である
ことを特徴とする請求項１５に記載の押出ダイ。
【請求項１７】
前記第１縁は、前記リストリクタ部材の前記第１端部から前記リストリクタ部材の前記第２端部まで前記長手方向に略平行に延びている
ことを特徴とする請求項１２に記載の押出ダイ。
【請求項１８】
前記プリランド表面は、前記第１表面に略平行である
ことを特徴とする請求項１２に記載の押出ダイ。
【発明の詳細な説明】
【技術分野】
【０００１】
本発明は、ダイに関しており、特には、調整アセンブリを有するリストリクタバーを用いて当該押出ダイに亘っての流体分配を調整するシート押出ダイに関している。
【背景技術】
【０００２】
シート押出ダイは、ロールスタック内に溶融ポリマーを排出するために利用されており、単層ダイまたは多層ダイを含み得る。単層押出ダイは、ロールスタックに溶融ポリマーの単一層を供給し、多層押出ダイは、ロールスタックに溶融ポリマーの少なくとも２層を供給する。溶融ポリマーは、圧力下で、リザーバから出てプリランドギャップを通過してダイリップ出口まで強制的に送られ、当該押出物がロールスタックに送られる。
【０００３】
ロールスタックに入る溶融ポリマーの分配を変えるために、リストリクタバーないしリストリクタ部材を用いて、分配ギャップの形状が調整され得る。現在のリストリクタバーは、平坦な流れ表面フェースを有しており、曲がりや輪郭付けを要求して、押出ダイを通る流れ分配に影響する。例えば、リストリクタバーは、ｕ型、ｍ型、ｗ型、または、更に他の形状、を形成するよう輪郭付けされ得る。従来のシステムでは、リストリクタバーは、適切な調整のために、オペレータの技術及び経験に頼っている。リストリクタバーは、徐々に曲がることができるのみであるが、経験の浅いオペレータは、しばしば、曲がることができない態様にリストリクタバーを調整しようとしてしまう。これは、損傷を招く。リストリクタバーの不適切な調整は、更なる調整の繰り返しを要求し得て、リストリクタバーのスタッドの破壊や損傷に帰結し得るし、押出ダイの一部が較正状態から外れ得るし、仕様から外れた製品に帰結し得る。
【０００４】
更に、オペレータは、先行する実行からリストリクタバーのプロファイルを残存させ、新しい材料や動作条件のためにそれを調整しないかもしれない。なぜなら、それは困難であるからである。従って、オペレータないし次のオペレータは、補償のために、ダイ加熱ゾーンやリップアジャスタのような他のプロセス変数を用いる。これは、互いに対して作用する様々なプロセス変数に帰結する。リストリクタバーを用いての流体ポリマー分配を調整する現在の方法は、高質の製品のための処理の窓（ｗｉｎｄｏｗ）を低減する。
【発明の概要】
【発明が解決しようとする課題】
【０００５】
従って、押出ダイ内でのポリマー分配を調整するための改良されたシステムのニーズが存在している。
【課題を解決するための手段】
【０００６】
単一の調整点を有する調整アセンブリを含む、溶融ポリマーをディスペンシングするための押出ダイが開示される。当該単一の調整点は、前の位置に戻ることを容易にする。流体分配は、当該単一の調整点から「調整（ｔｒｉｍｍｅｄ−ｉｎ）」され得て、誤った非対称ないし非論理的な調整がなされることを防ぐ。
【０００７】
単一の調整点から、オペレータは、リストリクタバーの全体を均一に上下に調整する楔部材を起動する。リストリクタバーの流れ表面フェースが、加工されたプリランドを含んでいる。プリランドは、端部と比較して中心においてより長いランドを有しており、ダイの端部に向かう流れを促す。プリランドギャップを増大することは、リストリクタバーの中心に向かう流れを増大させる。プリランドギャップを低減することは、リストリクタバーの端部に向かう流れを増大させる。単一の調整点及びリストリクタバーは、様々な溶融ポリマーの流れ分配と、流速や溶融処理温度等の動作条件と、のバランスをとるための効果的な方法をもたらす。
【０００８】
押出ダイは、複数のスタッドと、調整アセンブリと、リストリクタ部材と、を備えている。前記複数のスタッドの各々は、第１端と第２端とを有している。前記調整アセンブリは、長手方向に延びており、楔部材と、第１の調整部材と、第２の調整部材と、単一の点調整部材と、を有している。前記楔部材は、前記複数のスタッドの第１端の各々の近接位置において前記複数のスタッドに結合されている。前記楔部材は、第１の複数のチャネルと第２の複数のチャネルとが内部に形成されている。前記第１及び第２の複数のチャネルの各々は、前記長手方向から角度的にオフセットされた方向に延びている。前記第１及び第２の調整部材は、第１の複数の突出部と第２の複数の突出部とをそれぞれ有している。前記第１及び第２の複数の突出部の各々は、前記第１及び第２の複数のチャネルのそれぞれの１つ内に位置決めされている。前記リストリクタ部材は、前記長手方向に延びており、前記複数のスタッドの第２端の各々に結合されている。前記単一の点調整部材の回転は、前記複数の突出部の各々をして前記複数のチャネルのそれぞれの１つ内で移動させて、楔部材、複数のスタッド及びリストリクタ部材を前記長手方向に略垂直な方向に強制移動させる。
【０００９】
前記リストリクタ部材は、第１表面とプリランドとを含む。前記第１表面は、前記リストリクタ部材の第１端から前記リストリクタ部材の第２端まで長手方向に延びている。前記プリランドは、前記第１表面上に形成されている。前記プリランドは、第１縁と第２縁とを含むプリランド表面を有している。前記第１縁と前記第２縁とは、前記リストリクタ部材の前記第１端から前記第２端まで延びている。前記第２縁は、軸方向に前記第１縁から間隔を空けている。前記軸方向は、前記長手方向に略垂直である。前記第２縁は、前記リストリクタ部材の前記第１端と前記第２端との間に位置する曲げ部を有している。前記軸方向の前記第１縁と前記曲げ部との間の距離は、前記軸方向の前記リストリクタ部材の第１端の前記第１縁と前記第２縁との間の距離よりも大きい。
【００１０】
本発明の別の特徴は、調整アセンブリを提供する。調整アセンブリは、楔部材と、単一の点調整部材を有する調整制御部と、を含む。前記楔部材は、長手方向に延びており、第１の複数のチャネルと第２の複数のチャネルとが内部に形成されている。前記複数のチャネルの各々は、前記長手方向から角度的にオフセットされた方向に延びている。調整アセンブリは、第１の調整部材と、第２の調整部材と、単一の点調整部材を有する調整制御部と、を含む。前記第１及び第２の調整部材は、各々、複数の突出部を有しており、その各々は、前記第１及び第２の複数のチャネルのそれぞれの１つ内に位置決めされている。前記単一の点調整部材の回転は、前記複数の突出部の各々をして前記複数のチャネルのそれぞれの１つ内で移動させて、楔部材を前記長手方向に略垂直な方向に強制移動させる。
【００１１】
本発明の別の特徴は、第１端と、長手方向に当該第１端から離れた第２端と、を有する押出ダイを提供する。押出ダイは、上方本体部材と、下方本体部材と、内部マニホルドプラグと、外部デックルと、を備える。上方本体部材と下方本体部材とは、当該押出ダイの前記第１端から前記第２端まで延びている。前記下方本体部材は、鉛直方向に、前記上方本体部材に隣接して位置決めされている。前記鉛直方向は、前記長手方向に略垂直である。分配チャネル、プリランドチャネル及びダイ開口が、上方本体部材と下方本体部材との間に形成されている。前記分配チャネル、前記プリランドチャネル及び前記ダイ開口は、当該押出ダイの前記第１端から前記第２端まで延びて、軸方向に互いから間隔を空けている。前記軸方向は、前記長手方向及び前記鉛直方向に略垂直である。前記内部マニホルドプラグないし部分的内部デックルは、前記分配チャネル内に摺動可能に位置決めされている。前記外部デックルは、前記ダイ開口に摺動可能に位置決めされている。
【００１２】
当該概要は、本発明の概念の抜粋を導入（紹介）するために提供されている。本発明の概念は、明細書の以下の部分において更に詳述される。当該概要は、特許権としての保護が請求される（クレームされる）主題の主要な特徴ないし本質的な特徴を特定することを意図してはいないし、当該主題の範囲を限定するために用いられることを意図してもいない。更に、当該主題は、本明細書の一部において言及された何らかの欠点を解消するものに制限されるということもない。
【００１３】
より詳細な理解が、添付の図面との関連で例示的に与えられる以下の説明から提供され得る。
【図面の簡単な説明】
【００１４】
【図１】押出ダイの前方斜視図である。
【００１５】
【図２Ａ】図１に図示された押出ダイの上方本体部材の上方からの斜視図である。
【００１６】
【図２Ｂ】図２Ａに図示された上方本体部材の下方からの斜視図である。
【００１７】
【図３】図１に図示された押出ダイの下方本体部材の上方からの斜視図である。
【００１８】
【図４Ａ】調整アセンブリの斜視図である。
【００１９】
【図４Ｂ】図４Ａに図示された調整アセンブリの楔部材の斜視図である。
【００２０】
【図４Ｃ】図４Ａに図示された調整アセンブリの調整部材の斜視図である。
【００２１】
【図４Ｄ】図４Ａに図示された調整アセンブリの一端の斜視図である。
【図４Ｅ】図４Ａに図示された調整アセンブリの一端の斜視図である。
【００２２】
【図５Ａ】リストリクタ部材の上方からの斜視図である。
【００２３】
【図５Ｂ】図５Ａに図示されたリストリクタ部材の下方からの斜視図である。
【００２４】
【図５Ｃ】図５Ａに図示されたリストリクタ部材の後方からの斜視図である。
【００２５】
【図５Ｄ】図５Ａに図示されたリストリクタ部材の側面図である。
【００２６】
【図６】図１に図示された押出ダイの２−２線断面斜視図である。
【００２７】
【図７】図１に図示された押出ダイの２−２線断面側面図である。
【００２８】
【図８】図２Ａ及び図２Ｂに図示された上方本体部材が取り外された状態での、図１に図示された押出ダイの上方からの斜視図である。
【発明を実施するための形態】
【００２９】
例えば押出プラスチックシートのように、ロールスタック（不図示）に溶融ポリマーを移送するための押出ダイが説明される。従来のダイとは異なり、本明細書で説明される押出ダイは、オペレータがプリランドチャネルを調整する時間を最小化し、プリランドチャネルの不適切な調整を防ぎ、プリランドチャネルが調整された後の流体を均一に分配する。これは、シフトからシフトへの（ｓｈｉｆｔ  ｔｏ  ｓｈｉｆｔ）より大きな一貫性を提供し、ダウンタイムを低減し、部分的な摩耗を低減し、動作窓（ｏｐｅｒａｔｉｎｇ  ｗｉｎｄｏｗ）を広げる。当該押出ダイは、単一の調整点からの有効性の高い流れ分配制御を許容して、従来のダイよりも利便性を顕著に高める。
【００３０】
図１は、押出ダイ１００の前方斜視図である。押出ダイ１００は、長手方向Ｌにおいて、後端部１０２、軸方向ないし流れ方向Ａにおいて前記後端部１０２から離れているディスペンシング端部１０４、第１端部１０６（例えば右側）、及び、前記右側１０６から離れている第２端部１０８（例えば左側）、を備えている。ディスペンシング端部１０４は、ロールスタックに流体を排出するように構成されている。流体は、溶融ポリマーの混合物等を含み得る。押出ダイ１００は、当該押出ダイ１００をロールスタックに整列させるべく、ベース、床取付部、テーブルトップ、または、他の支持構造（不図示）によって支持され得る。ある特徴において、ロールスタックは、当該ロールスタック内への流体の適用中、ディスペンシング端部１０４に隣接して位置決めされ得る。
【００３１】
所定の用語は、説明の都合上用いられているに過ぎず、限定を意図していない。用語「近位」及び「遠位」は、一般に、カートリッジアセンブリを作動する個体に対して向かう及び離れる位置または方向に言及するものである。用語「軸方向」、「鉛直方向」、「横断方向」、「長手方向」、「左」、「右」、「上向き」、「下向き」、「上方」及び「下方」は、参照されている図面内における方向を示す。用語「略」は、相当程度ないし大いに、を意味することが意図されており、必ずしも特定されたもの全体を必須とはしない。専門的用語は、先に挙げた用語と、その派生形と、同趣旨の用語と、を含む。
【００３２】
押出ダイ１００は、上方本体部材１１０と、下方本体部材１１２と、左端部プレート１１４と、右端部プレート１１６と、複数のスタッド１５６と、調整アセンブリ２００と、リストリクタ部材またはリストリクタバー３００（図２参照）と、デックルシステム４００と、を備えている。押出ダイ１００は、また、熱起動する自動のダイリップ調整ボルト、または、押出ダイ内で一般的に用いられる他の構成要素、を含み得る。上方本体部材１１０及び下方本体部材１１２は、好適には、合金工具鋼（ａｌｌｏｙ  ｔｏｏｌ  ｓｔｅｅｌ）から製造されて、流れ表面は硬いクロムでめっき処理される。あるいは、上方本体部材１１０及び下方本体部材１１２は、高い寸法安定性を有する特殊な合金ないし他の材料から製造され得る。押出ダイ１００が、２以上の層で流体を提供するように構成された単一の中央本体部材（例えば２層ダイ）や複数の中央本体部材（例えば３層ダイ）のような、更なる本体部材を含み得ることも、理解されるであろう。
【００３３】
図２Ａ及び図２Ｂは、それぞれ、上方本体部材１１０の上方からの斜視図と下方からの斜視図とを示している。上方本体部材１１０は、押出ダイ１００の第１端部１０６から第２端部１０８まで長手方向Ｌに延びている。上方本体部材１１０は、調整チャネル１３０と、リストリクタチャネル１３２と、複数のスタッドチャネル１３４と、上方入口チャネル１３６と、上方ポートチャネル１３７と、が内部に形成されている。上方本体部材１１０は、上方ランド表面１３８を含んでいる。調整チャネル１３０、リストリクタチャネル１３２及び上方入口チャネル１３６は、長手方向Ｌに上方本体部材１１０を通って延びている。複数のスタッドチャネル１３４の各々は、調整チャネル１３０からリストリクタチャネル１３２まで横断方向Ｔに上方本体部材１１０を通って延びている。横断方向Ｔは、長手方向Ｌに略垂直である。上方ポートチャネル１３７は、上方本体部材１１０の外面から上方入口チャネル１３６まで延びている。
【００３４】
上方本体部材１１０は、調整チャネル１３０内に延びる第１及び第２肩部１４０ａ、１４０ｂを含んでいる。第１及び第２肩部１４０ａ、１４０ｂは、長手方向Ｌに延びていて、互いに対向（対面）している。
【００３５】
図３は、下方本体部材１１２の上方から見た斜視図である。下方本体部材１１２は、押出ダイ１００の第１端部１０６から第２端部１０８まで長手方向Ｌに延びている。下方本体部材１１２は、下方入口チャネル１４２と、下方ポートチャネル１４３と、が内部に形成されている。下方入口チャネル１４２は、長手方向Ｌに下方本体部材１１２を通って延びている。下方ポートチャネル１４３は、下方本体部材１１２の外面から下方入口チャネル１４２まで延びている。下方本体部材１１２は、下方プリランド表面１４４と、下方ランド表面１４８を有する最終ランド部材１４６と、を含んでいる。
【００３６】
図４Ａは、本発明の特徴に従う調整アセンブリ２００の斜視図である。調整アセンブリ２００は、長手方向Ｌに延びており、楔部材２０２、第１の調整部材２０４、第２の調整部材２０６（図４Ｃ及び図７参照）、及び、単一点の調整部材を有する調整制御部２０８、を有している。
【００３７】
図４Ｂは、楔部材２０２の斜視図である。楔部材２０２は、第１のノッチ２１０ａと、第２のノッチ２１０ｂと、を有しており、それらの両方が、長手方向Ｌに楔部材２０２の外面に沿って延びている。楔部材２０２は、複数の楔チャネル２１２が内部に形成されている。複数の楔チャネル２１２は、長手方向Ｌに沿って整列されている。各楔チャネル２１２は、オフセット方向Ｏに延びている。オフセット方向Ｏは、長手方向Ｌから角度的にオフセットされている。ある実施形態において、楔チャネル２１２の各々は、それぞれ隣接する楔チャネル２１２に接続し得て、押出ダイ１００の第１端部１０６から第２端部１０８まで楔部材２０２に沿って延びるｚ型チャネルを形成する。あるいは、各楔チャネル２１２は、互いに隣接する楔チャネル２１２から分離し得て、押出ダイ１００の第１端部１０６から第２端部１０８まで楔部材２０２に沿って間隔を空けた個々（個別）の複数の楔チャネル２１２形成し得る。
【００３８】
複数の楔チャネル２１２は、第１の複数の楔チャネルであることが理解されるであろう。楔部材２０２は、第２の複数の楔チャネル２１３も、内部に形成されている。第２の複数の楔チャネル２１３のうち唯一のチャネルが、図面内において部分的に視認可能である。第２の複数の楔チャネル２１３は、第１の複数の楔チャネル２１２と略同様に構成されており、第１の複数の楔チャネル２１２を含む楔部材２０２の側とは反対の楔部材２０２の側において位置決めされている。第１の複数のチャネル２１２は、第２の複数のチャネル２１３が延びる方向と略平行な方向に延びており、長手方向に沿って見る時、それらは互いの鏡像を形成している。
【００３９】
楔部材２０２は、更に、楔部材２０２を通って延びる複数の貫通孔２１４を含んでいる。貫通孔２１４は、長手方向Ｌに楔部材２０２に沿って間隔を空けている。ある実施形態では、各貫通孔２１４は、互いに隣接する貫通孔２１４から等距離に間隔を空けている。貫通孔２１４は、長手方向Ｌに略垂直な方向に、楔部材２０２を通って延びている。
【００４０】
図４Ｃは、第２の調整部材２０６の斜視図である。第２の調整部材２０６は、長手方向Ｌに延びており、複数の突出部２１６を含んでいる。複数の突出部２１６は、長手方向Ｌに沿って整列されており、その各々は、オフセット方向Ｏに延びている。第１及び第２の調整部材２０４、２０６は、略同様に構成されており、長手方向Ｌに沿って見る時、互いの鏡像を含んでいる、ということが理解されるであろう。
【００４１】
楔部材２０２と第１及び第２の調整部材２０４、２０６とは、第２の調整部材２０６の複数の突出部２１６が第２の複数の楔チャネル２１３内に受容され、第１の調整部材２０４の複数の突出部（図面においては不可視）が第１の複数の楔チャネル２１２内に受容される、というように構成されている。ある実施形態では、第１の調整部材２０４の複数の突出部の各々が、第１の複数の楔チャネル２１２のそれぞれの１つのチャネル内に位置決めされており、第２の調整部材２０６の複数の突出部２１６の各々が、第２の複数の楔チャネル２１３のそれぞれの１つのチャネル内に位置決めされている。
【００４２】
第１の調整部材２０４は、第１の長手軸Ｌ１に沿って移動するように構成されており、第２の調整部材２０６は、第２の長手軸Ｌ２に沿って移動するように構成されている。第１の長手軸Ｌ１及び第２の長手軸Ｌ２は、長手方向Ｌに略平行に延びている。第１の調整部材２０４の第１の長手軸Ｌ１に沿っての長手方向Ｌの移動と、第２の調整部材２０６の第１の長手軸Ｌ２に沿っての長手方向Ｌの移動は、下向き方向に楔部材２０２を移動させる。逆に、第１の調整部材２０４の第１の長手軸Ｌ１に沿っての長手方向Ｌと反対向きの移動と、第２の調整部材２０６の第１の長手軸Ｌ２に沿っての長手方向Ｌと反対向きの移動は、上向き方向に楔部材２０２を移動させる。第１の調整部材２０４が第１の長手軸Ｌ１に沿って移動する時、第１の調整部材２０４の複数の突出部の各々は、第１の複数の楔チャネル２１２のそれぞれの１つ内で摺動する。第２の調整部材２０６が第２の長手軸Ｌ２に沿って移動する時、第２の調整部材２０６の複数の突出部２１６の各々は、第２の複数の楔チャネル２１３のそれぞれの１つ内で摺動する。複数の突出部の各々の各楔チャネル内での移動が、上向き方向または下向き方向のいずれかに楔部材２０２を移動させる。
【００４３】
調整制御部２０８は、第１及び第２の調整部材２０４、２０６の両方の移動を制御するように構成されている。調整制御部２０８は、第１及び第２の調整部材２０４、２０６を同時に移動させる。調整制御部２０８は、第１及び第２の調整部材２０４、２０６に結合された単一点の調整部材２０９（例えばノブ）を含んでおり、当該ノブ２０９が回転される時に、第１及び第２の調整部材２０４、２０６が前述のように移動する。例えば、ノブ２０９が時計回り方向に回転される時、第１の調整部材２０４は、第１の長手軸Ｌ１に沿って長手方向Ｌに移動して、第２の調整部材２０６は、第２の長手軸Ｌ２に沿って長手方向Ｌに移動して、楔部材２０２を下向き方向に移動させる。逆に、ノブ２０９が反時計回り方向に回転される時、第１の調整部材２０４は、第１の長手軸Ｌ１に沿って長手方向Ｌと反対方向に移動して、第２の調整部材２０６は、第２の長手軸Ｌ２に沿って長手方向Ｌと反対方向に移動して、楔部材２０２を上向き方向に移動させる。
【００４４】
図４Ｄ及び図４Ｅは、本発明の一実施形態に従う、調整アセンブリ２００の一端部の斜視図である。単一点の調整部材２０９は、ラチェット２１１または他の同様のツールを用いて回転され得て、前述のように調整制御部２０８を作動させる。単一点の調整部材２０９は、ネジのような形態を有するスタッド２１５に結合されており、スタッド２１５の一方向への回転が長手方向Ｌの移動を引き起こし、スタッド２１５の他方向への回転が長手方向Ｌと反対方向の移動を引き起こす。スタッドは、直接的または間接的に第１及び第２の調整部材２０４、２０６に結合されており、スタッド２１５の回転が第１及び第２の調整部材２０４、２０６の移動を引き起こす。
【００４５】
図５Ａ乃至図５Ｄは、本発明の一実施形態に従う、リストリクタ部材３００を図示している。リストリクタ部材３００は、第１端部３０２から第２端部３０４まで長手方向Ｌに延びている。リストリクタ部材３００は、第１表面３０５、第２表面３０７、及び、第１表面３０５上に形成されたプリランドドロップ３０６を有している。別の実施形態では、プリランドドリップ３０６は、第１表面３０５に結合ないし取り付けされ得る。プリランドドロップ３０６は、第１表面３０５に略平行な上方プリランド表面３０８を有しており、第１縁３１０及び第２縁３１２を含んでいる。第１縁３１０及び第２縁３１２の両方が、リストリクタ部材３００の第１端部３０２から第２端部３０４まで延びている。第１縁３１０は、軸方向Ａに第２縁３１２から離れており、第１縁３１０は、長手方向Ｌに略平行に延びている。第２縁３１２は、第１端部３０２と第２端部３０４との間に位置する曲げ部３１４を含んでいる。ある実施形態では、曲げ部３１４は、長手方向Ｌの第２縁３１２の中央に位置している。
【００４６】
曲げ部３１４は、軸方向Ａに距離Ｄ１だけ第１縁３１０から離れている。ある実施形態では、距離Ｄ１は、第２縁３１２に沿った地点において軸方向に第２縁３１２が第１縁３１０から離れている最大距離である。第２縁３１２は、距離Ｄ２だけ、リストリクタ部材３００の第１端部３０２において、軸方向Ａに第１縁３１０から離れている。距離Ｄ１は、距離Ｄ２よりも大きい。第２縁３１２は、距離Ｄ３だけ、リストリクタ部材３００の第２端部３０４において、軸方向Ａに第１縁３１０から離れている。距離Ｄ１は、距離Ｄ３よりも大きい。
【００４７】
第２縁３１２は、第１の縁部３１６と第２の縁部３１８とを有している。第１の縁部３１６は、第１端部３０２から曲げ部３１４まで延びており、第２の縁部３１８は、曲げ部３１４から第２端部３０４まで延びている。ある実施形態では、第１及び第２の縁部３１６、３１８の両方が、略直線状である。別の実施形態では、第１及び第２の縁部３１６、３１８の両方が、長手方向Ｌから角度的にオフセットされている。第１の縁部３１６は、軸方向Ａに見る時、第２の縁部３１８の鏡像であり得る。
【００４８】
リストリクタ部材３００の第２表面３０７は、第１端部３０２から第２端部３０４まで長手方向Ｌに延びている。第２表面３０７は、複数の開口３２０を含んでいる。複数の開口３２０は、第１端部３０２から第２端部３０４まで表面３０７に沿って間隔を空けている。
【００４９】
図６及び図７は、図１の押出ダイ１００の２−２線断面を、それぞれ斜視図及び側面図で図示している。調整チャネル１３０が、調整アセンブリ２００の少なくとも一部を内部に受容するように構成されている。楔部材２０２、第１の調整部材２０４、及び、第２の調整部材２０６は、長手方向Ｌに調整チャネル１３０を通って延びている。楔部材２０２のノッチ２１０ａ、２１０ｂは、上方本体部材１１０の肩部１４０ａ、１４０ｂを内部に受容するように構成されている。
【００５０】
複数のスタッド１５６の各々が、第１端部１５８と、反対側の第２端部１６０と、を有している。複数のスタッド１５６の各々は、上方本体部材１１０の複数のスタッドチャネル１３４のそれぞれのチャネル内に位置決めされており、横断方向Ｔに延びている。複数のスタッド１５６の各々は、楔部材２０２の複数の貫通孔２１４のそれぞれの孔を通って延びている。楔部材２０２は、第１端部１５８の近傍位置において複数のスタッド１５６に結合されている。複数のスタッド１５６の各々は、リストリクタ部材３００の複数の開口３２０のそれぞれの開口内に位置決めされている。リストリクタ部材３００は、複数のスタッド１５６の第２端部１６０の各々に結合されている。ある実施形態では、スタッド１５６、スタッドチャネル１４５、貫通孔２１４及び開口３２０の数は同じであり、各スタッドチャネル１３４、各貫通孔２１４及び各開口３２０のために、１つのスタッド１５６が内部に位置決めされている。
【００５１】
リストリクタチャネル１３２は、リストリクタ部材３００を内部に受容するように構成されている。リストリクタ部材３００は、横断方向にリストリクタチャネル１３２内で摺動するように構成されている。
【００５２】
下方本体部材１１２は、鉛直方向Ｖに上方本体部材１１０に隣接して位置決めされている。鉛直方向Ｖは、長手方向Ｌに略垂直である。リストリクタ部材３００の上方プリランド表面３０８は、下方本体部材１１２の下方プリランド表面１４４と向き合って、両者の間にプリランドチャネル５０２を形成している。下方本体部材１１２の下方ランド表面１４８は、上方本体部材１１０の上方ランド表面１３８と向き合って、両者の間に最終ランドチャネル５０４を形成している。下方本体部材１１２の下方入口チャネル１４２は、上方本体部材１１０の上方入口チャネル１３６と向き合って、両者の間に入口チャネル５０６を形成している。入口チャネル５０６は、「分配チャンバ」または「分配チャネル」とも呼ばれ得る。下方本体部材１１２の下方ポートチャネル１４３は、上方本体部材１１０の上方ポートチャネル１３７と向き合って、押出ダイ１００の後端部１０２から入口チャネル５０６まで延びるポートチャネル５０８を形成している。
【００５３】
ポートチャネル５０８、入口チャネル５０６、プリランドチャネル５０２及び最終ランドチャネル５０４は、互いに流体連通しており、押出ダイ１００の後端部１０２は、ディスペンシング端部１０４において上方本体部材１１０と下方本体部材１１２との間に形成されたダイ開口５１０と流体連通している。
【００５４】
下方本体部材１１２の下方ランド表面１４８と上方本体部材１１０の上方ランド表面１３８との間の距離が、プリランドチャネル５０２の高さを規定する。プリランドチャネル５０２の高さは、横断方向Ｔのリストリクタ部材３００の移動に基づいて調整される。一実施形態では、下方ランド表面１４８は、上方ランド表面１３８に略平行である。
【００５５】
横断軸ＴＴに沿ってのリストリクタ部材３００の移動は、調整アセンブリ２００によって制御される。横断軸ＴＴは、横断方向Ｔに平行に延びている。前述のように、第１回転軸Ｒ１回りの時計回り方向の第１の調整部材２０４の回転と第２回転軸Ｒ２回りの反時計回り方向の第２の調整部材２０６の回転とが、楔部材２０２を下向き方向（例えば横断方向Ｔ）に移動させる。これが、複数のスタッド１５６及びリストリクタ部材３００を横断方向Ｔに強制移動させる。リストリクタ部材３００が横断方向Ｔに移動する時、プリランドチャネル５０２の高さは低減される。逆に、第１回転軸Ｒ１回りの反時計回り方向の第１の調整部材２０４の回転と第２回転軸Ｒ２回りの時計回り方向の第２の調整部材２０６の回転とが、楔部材２０２を上向き方向（例えば横断方向Ｔと反対方向）に移動させる。これが、複数のスタッド１５６及びリストリクタ部材３００を横断方向Ｔと反対の方向に強制移動させる。リストリクタ部材３００が横断方向Ｔと反対の方向に移動する時、プリランドチャネル５０２の高さは増大される。
【００５６】
ある実施形態では、リストリクタ部材３００は、横断軸ＴＴに沿って横断方向Ｔに略均一に移動され得る。例えば、調整アセンブリ２００がリストリクタ部材３００を制御して横断軸ＴＴに沿って移動させる時、第１端部３０２、第２端部３０４、及び、第１端部３０２と第２端部３０４との間のリストリクタ部材３００上の点は、横断軸ＴＴに沿って略等距離だけ移動し得る。
【００５７】
図８は、上方本体部材１１０が取り外された状態での、押出ダイ１００の上方からの斜視図である。デックルシステム４００は、内部マニホルドプラグ４０２と外部デックル４０４ａとを含んでいる。内部マニホルドプラグ４０２は、入口チャネル５０６内に位置決めされている。内部マニホルドプラグ４０２は、第１の長手軸ＬＬ１に沿って、入口チャネル５０６内を摺動するように構成されている。第１の長手軸ＬＬ１は、長手方向Ｌに略平行である。外部デックル４０４ａは、ダイ開口５１０に隣接する押出ダイ１００のディスペンシング端部１０４に位置決めされている。外部デックル４０４aは、第２の長手軸ＬＬ２に沿って摺動するように構成されている。第２の長手軸ＬＬ２は、長手方向Ｌに略平行である。
【００５８】
デックルシステム４００は、第２の内部マニホルドプラグ（図面においては不可視）と、第２の外部デックル４０４ｂと、をも含み得ることが理解されるであろう。内部マニホルドプラグ４０２は、押出ダイ１００の第１端部１０６に位置決めされ得て、第２の内部マニホルドプラグは、押出ダイ１００の第２端部１０８に位置決めされ得る。内部マニホルドプラグ４０２の第１端部１０６における移動と、第２の内部マニホルドプラグの第２端部１０８における移動とは、一致し得る。例えば、第１端部１０６に向くように位置された内部マニホルドプラグ４０２が、第１の長手軸ＬＬ１に沿って第１端部１０６から離れるように移動する時、第２端部１０８に向くように位置された第２の内部マニホルドプラグが、第１の長手軸ＬＬ１に沿って第２端部１０８から離れるように移動して、プラグ４０２が第１端部１０６から移動する距離は、第２のプラグが第２端部１０８から移動する距離と略同一である。
【００５９】
外部デックル４０４ａは、押出ダイ１００の第１端部１０６に位置決めされ、第２の外部デックル４０４ｂは、押出ダイ１００の第２端部１０８に位置決めされている。外部デックル４０４ａの移動と、第２の外部デックル４０４ｂの移動とは、一致し得る。例えば、外部デックル４０４ａが第２の長手軸ＬＬ２に沿って第１端部１０６から離れるように移動する時、第２の外部デックル４０４ｂが第２の長手軸ＬＬ２に沿って第２端部１０８から離れるように移動して、外部デックル４０４ａが第１端部１０６から移動する距離は、第２の外部デックル４０４ｂが第２端部１０８から移動する距離と略同一である。
【００６０】
ある実施形態では、内部マニホルドプラグ４０２と外部デックル４０４ａは、共に移動し得る。例えば、内部マニホルドプラグ４０２が第１端部１０６から離れるように移動する時、外部デックル４０４ａは、内部マニホルドプラグ４０２と略同一距離だけ、第１端部１０６から離れるように移動する。同様に、第２の内部マニホルドプラグと第２の外部デックル４０４ｂは、共に移動し得る。例えば、第２の内部マニホルドプラグが第２端部１０８から離れるように移動する時、第２の外部デックル４０４ｂは、第２の内部マニホルドプラグと略同一距離だけ、第２端部１０８から離れるように移動する。
【００６１】
ダイ開口５１０を介して流体をディスペンシングするために押出ダイ１００を用いる方法は、押出ダイ１００の後端部１０２におけるポートチャネル５０８の入口に流体を提供することによって開始される。複数の押出機（不図示）の１つが、ポートチャネル５０８に正確な量の流体を供給するように、ポートチャネル５０８の入口への給送のために利用され得る。流体の量は、ロールスタックを出る所望のシート厚さに依存する。
【００６２】
流体は、ポートチャネル５０８を通って入口チャネル５０６内へと流れる。流体は、入口チャネル５０６内に入ってそれを充填する時、長手方向に分配される。流体の流れが軸方向Ａに入口チャネル５０６を出る時、流体の高さ（例えば鉛直方向Ｖの流体の高さ）が低減されて、流体はプリランドチャネル５０２内へと流れる。前述のように、プリランドチャネル５０２の高さは調整され得て、プリランドチャネル５０２を通る流体分配のバランスが調整され得る。第１表面３０５と下方プリランド表面１４４との間のプリランドチャネル５０２の高さは、上方プリランド表面３０８と下方プリランド表面１４４との間のプリランドチャネル５０２の高さより大きく、プリランドドロップ３０６の第１縁３１０から曲げ部３１４までの距離Ｄ１は、プロランドドロップ３０６の端部３０２、３０４における距離Ｄ２、Ｄ３との関連で、プリランドチャネル５０２の中央に向かう「より長いランド」を形成している。当該より長いランドは、押出ダイ１００の端部１０６、１０８に向かう流れを促す。プリランドチャネル５０２の高さの増大は、押出ダイ１００の中央に向かう流れを増大する。プリランドチャネル５０２の高さの低減は、押出ダイ１００の端部１０６、１０８に向かう流れを増大する。当該方法は、様々な樹脂タイプ及び動作条件（例えば、流速や溶融処理温度）にとっての流れ分配のバランスを調整する上で有効である。
【００６３】
流体は、プリランドチャネル５０２を出ると、最終ランドチャネル５０４に入る。流体は、最終ランドチャネル５０４を通って、押出ダイ１００のディスペンシング端部１０４のダイ開口５１０を出て、ロールスタックへと流れる。
【００６４】
デックルシステム４００は、押出ダイ１００を通る流体の流れの付加的な制御を許容する。入口チャネル５０６内での第１の長手軸ＬＬ１に沿った流体の流れの幅は、内部マニホルドプラグ４０２と第２の内部マニホルドプラグとによって制御される。例えば、内部マニホルドプラグ４０２と第２の内部マニホルドプラグとがそれぞれ第１端部１０６と第２端部１０８とから離れて押出ダイ１００の中央に向かうように移動する時、入口チャネル５０６を通る流体の流れは狭められる。同様に、内部マニホルドプラグ４０２と第２の内部マニホルドプラグとがそれぞれ第１端部１０６と第２端部１０８とに向かうように移動する時、入口チャネル５０６を通る流体の流れは拡げられる。
【００６５】
ダイ開口５１０での第２の長手軸ＬＬ２に沿った流体の流れの幅は、外部デックル４０４ａと第２の外部デックル４０４ｂとによって制御される。内部マニホルドプラグ４０２及び第２の内部マニホルドプラグの移動が入口チャネル５０６を通る流体の流れを狭める及び拡げるのと略同様の態様で、外部デックル４０４ａ及び第２の外部デックル４０４ｂの移動がダイ開口５１０を通る流体の流れを狭める及び拡げる。内部マニホルドプラグ４０２、第２の内部マニホルドプラグ、外部デックル４０４ａ、及び、第２の外部デックル４０４ｂの組み合わさった移動が、押出ダイ１００の端部１０６、１０８において大変積極的にリストリクタ部材３００を調整する必要を防止することを助け得る。
【００６６】
押出ダイ１００は、デックルシステム４００無しでも動作し得るし、内部マニホルドプラグ４０２と外部デックル４０４ａ、４０４ｂとのいずれか一方のみが押出ダイ１００に搭載された状態でも動作し得るし、内部マニホルドプラグ４０２と外部デックル４０４ａ、４０４ｂとの両方が押出ダイ１００に搭載された状態でも動作し得る。
【００６７】
前述の具体的な実施形態は、例示的な目的で説明されており、特許請求の範囲によって規定される本発明の範囲の限定を意図してはいない。前述の実施形態からの修正や変更がなされ得る。
【図１】
2018192796.tif 000003
【図２Ａ】
2018192796.tif 000004
【図２Ｂ】
2018192796.tif 000005
【図３】
2018192796.tif 000006
【図４Ａ】
2018192796.tif 000007
【図４Ｂ】
2018192796.tif 000008
【図４Ｃ】
2018192796.tif 000009
【図４Ｄ】
2018192796.tif 000010
【図４Ｅ】
2018192796.tif 000011
【図５Ａ】
2018192796.tif 000012
【図５Ｂ】
2018192796.tif 000013
【図５Ｃ】
2018192796.tif 000014
【図５Ｄ】
2018192796.tif 000015
【図６】
2018192796.tif 000016
【図７】
2018192796.tif 000017
【図８】
2018192796.tif 000018